(57)【特許請求の範囲】
【請求項１】
時計用ケースに設けた連結用のケース連結部と、バンドに設けた連結用のバンド連結部とを横方向に隣接して配置し、横方向に連通する係合孔を上記両連結部にそれぞれ設け、上記時計用ケースと上記バンドとを一体化する連結用ピンを上記各係合孔に連通させてなる時計用連結構造において、上記両連結部のいずれか一方を二股状の突出部とし、いずれか他方を上記二股状の突出部の間に入り込む突出状部とし、上記二股状の突出部と上記突出状部のそれぞれに上記係合孔を貫通孔として設け、上記突出状部の上記貫通孔内にその外径が上記二股状の突出部に設けられる上記貫通孔の孔径より大きくされたコイルスプリングを挿入し、上記３つの貫通孔内にまたがりかつ上記コイルスプリングの内径部分によって係止されるように前記連結用ピンを配設したことを特徴とする時計用連結構造。
【請求項２】
時計本体に接続されるバンドの連結構造であって少なくとも２つの連結体が連結される時計用連結構造において、上記連結体の一方に設けられた連結用の係合連結部と、この一方の連結体に対しその連結方向に隣接して配置される他方の連結体に上記係合連結部に対して横方向に隣接して設けられる連結用の被係合連結部とを備え、横方向に連通する係合孔を上記両連結部にそれぞれ設け、上記両連結部のいずれか一方を二股状の突出部とし、いずれか他方を上記二股状の突出部の間に入り込む突出状部とし、上記二股状の突出部と上記突出状部のそれぞれに上記係合孔を貫通孔として設け、上記突出状部の上記貫通孔内にその外径が上記二股状の突出部に設けられる上記貫通孔の孔径より大きくされたコイルスプリングを挿入し、上記３つの貫通孔内にまたがりかつ上記コイルスプリングの内径部分によって係止されるように前記連結用ピンを配設したことを特徴とする時計用連結構造。
【請求項３】
前記コイルスプリングの一部の内径を他の部分より小径の小径スプリング部とし、前記連結用ピンの一部の外径を他の部分より小径の小径外径部とし、上記小径スプリング部を上記小径外径部にはめ合わせ、前記連結用ピンを係止したことを特徴とする請求項１または２記載の時計用連結構造。
【請求項４】
前記コイルスプリングの内径を前記連結用ピンの外径よりわずかに小さくし、両者の接触摩擦によって、前記連結用ピンを係止したことを特徴とする請求項１または２記載の時計用連結構造。
【請求項５】
連結用のケース連結部が設けられた時計用ケースを有する時計本体と、上記ケース連結部に隣接して配置されるバンド連結部を有するバンドとを備え、上記両連結部を側面方向に連通する係合孔を両連結部にそれぞれ設け、上記各係合孔に連結用ピンを連通させることで上記時計用ケースと上記バンドとを一体化する時計において、上記両連結部のいずれか一方を二股状の突出部とし、いずれか他方を上記二股状の突出部の間に入り込む突出状部とし、上記二股状の突出部と上記突出状部のそれぞれに上記係合孔を貫通孔として設け、上記突出状部の上記貫通孔内にその外径が上記二股状の突出部に設けられる上記貫通孔の孔径より大きくされたコイルスプリングを挿入し、上記３つの貫通孔内にまたがりかつ上記コイルスプリングの内径部分によって係止されるように前記連結用ピンを配設したことを特徴とする時計。
【請求項６】
前記コイルスプリングの一部の内径を他の部分より小径の小径スプリング部とし、前記連結用ピンの一部の外径を他の部分より小径の小径外径部とし、上記小径スプリング部を上記小径外径部に嵌め合わせ、前記連結用ピンを係止したことを特徴とする請求項５記載の時計。
【発明の詳細な説明】
【０００１】
【発明の属する技術分野】
本発明は、時計用連結構造および当該構造を採用した時計に関わり、特に、その時計用連結部に連結用のピンを固定させる連結構造に関するものである。
【０００２】
【従来の技術】
図１２および図１３は、従来の時計に用いられる連結方法の１例を示したものである。長いピン３４と短いパイプ３５を連結部材として利用している。具体的には、時計のケースの連結部３０とバンドの連結部３２とを連結する際、まず、中空のパイプ３５を予めケースの連結部３０の挿入用孔３１に入れる。そして、バンドの連結部３２を持ち上げ、そのバンドの連結部３２の挿入用孔３３，３３をケースの連結部３０の挿入用孔３１と合わせ、ピン３４をその３つの孔３３，３１，３３に押し込む。押し込みが完了すると、時計のケースとバンドとが一体化する。
【０００３】
また、時計の使用中にピン３４が抜け落ちないように、そのピン３４の中央部に小外径部３６が設けられている。両連結部３０，３２を連結する時、ピン３４の小外径部３６は、パイプ３５の中央部に設けられた小外径部３７に嵌め込まれ、ピン３４は固定される。
【０００４】
図１４は、特開平０８−２２４１１４号公報に示されている従来の他の時計の連結部分の構造を示す図である。時計ケース４０の二股状連結部４２，４２には、両端に段５３，５３を有する挿入用ピン５０を挿入させるためのピン挿入用孔４１，４１が設けられる。バンドの連結部４５にまゆ状の断面を有する貫通孔４６を設け、この貫通孔４６に断面が同じ形状のスペーサー４７を入れておく。また、断面の中央のくびれ部６３で分段される大径中空部６１および小径中空部６２を有する断面まゆ形のリング６０を、スペーサー４７の中空部４８，４９へ差し込む。
【０００５】
リング６０の大径中空部６１は、挿入用のピン５０の大径部５２，５２を緩く挿入できる位の内径を有し、小径中空部６２は、挿入用のピン５０の小径部５１の径と略同程度の内径を有している。くびれ部６３は、小径部６２の内径より狭い巾を有するように形成されている。そして、スペーサー４７およびリング６０を備えたバンドの連結部４５を時計ケース４０の二股状連結部４２，４２の間に差し込み、リング６０の大径中空部６１が二股状連結部４２のピン挿入用孔４１，４１に一致させてからピン５０を押し込む。その後、時計ケース４０とバンドとを互いに引き離す方向へ引っ張ると、ピン５０の小径部５１はリング６０の小径中空部６２に移り、その両連結部４２，４５の連結作業が完成する。
【０００６】
【発明が解決しようとする課題】
図１２および図１３に現した連結構造は、ピン３４およびパイプ３５の構造がシンプルであり、その部品の加工も容易である。しかし、ピン３４をパイプ３５に押し込むとき、パイプ３５の小外径部３７を押し広げる必要があり、極めて大きな力が必要となっている。このため、組み込み作業が困難で、時間がかかるものとなっている。また、５ｋｇ以上の力を細いピン３４に与えると、ピン３４は曲がったり座屈したり、時には時計またはバンドの表面にキズを付けたりという製造上の不具合を生じやすくなる。また、組み込み作業の困難性を解消するため、治具を使用しても良いが、治具が特殊となりコストが上昇し、加えて、ピン３４の曲がり等の問題は依然として残る。
【０００７】
また、そのピン３４が曲がらないように、パイプ３５の固定力を弱くする（パイプ３５の小外径３７の内径を大きくする）と、時計を使用している途中でピン３４が抜け落ちる危険性が高くなる。一方、時計の使用途中にピン３４が抜けないように、その固定力を強くすると、連結を解除するためにピン３４を抜きたい時、その作業が極めて困難となる。また、パイプ３５の小外径部３７は、塑性変形させられるものであり、パイプ３５の小外径部３７の内径より大きな外径のピン３４を押し込むことはかなり無理があり、しかも押し込む力にばらつきができやすい。
【０００８】
図１４に示した特開平０８−２２４１１４号公報の連結構造は、時計ケース４０とバンドの連結部４５の間の着脱に際し、大きな力を必要とせず、しかも、バンドと時計ケース４０とを相対移動させれば簡単にできる。しかし、その連結構造は、部品が多く、コストが上昇し、着脱するとき部品を無くす危険性が高くなる。また、バンドの移動を許容するスペースを時計ケース４０側に設ける必要があるため、デザイン上の制約を生じてくる。
【０００９】
また、その断面まゆ状の貫通孔４６の加工方法は、かなり複雑な工程を必要とし、コストが上昇する。なお、貫通孔４６の形成に当たって、バンドの連結部４５を上下に分断して（図１３の点線参照）貫通孔４６のための半孔を形成してから両者を接合固定する方法もあるが、部品点数の増大と、作業工程の増加によって、生産効率が悪化し、時計のコストが高くなる。
【００１０】
本発明は、上記した問題を解決するためになされたものであり、部品の数が少なく、加工及び組み立てが簡単で、コストが低く、さらに、着脱し易く、時計の使用途中で連結用ピンが抜けてしまうことが無い時計用連結構造およびその連結構造を用いる時計を提供することを目的とする。
【００１１】
【課題を解決するための手段】
このような目的を達成するために、本発明の時計用連結構造は、時計用ケースに設けた連結用のケース連結部と、バンドに設けた連結用のバンド連結部とを横方向に隣接して配置し、横方向に連通する係合孔を両連結部にそれぞれ設け、時計用ケースとバンドとを一体化する連結用ピンを各係合孔に連通させてなる時計用連結構造において、両連結部のいずれか一方を二股状の突出部とし、いずれか他方を二股状の突出部の間に入り込む突出状部とし、二股状の突出部と突出状部のそれぞれに係合孔を貫通孔として設け、突出状部の貫通孔内にその外径が二股状の突出部に設けられる貫通孔の孔径より大きくされたコイルスプリングを挿入し、３つの貫通孔内にまたがりかつコイルスプリングの内径部分によって係止されるように連結用ピンを配設している。
【００１２】
このような構造にすると、部品点数が少なくと共にいため、簡単に連結作業ができる。しかも、コイルスプリングは、簡単に加工でき、加工工数が減少し、コスト低減を図ることができる。また、コイルスプリングの内径部分を利用して連結用ピンを係止しているので、コイルスプリングの弾性力を有効に活用でき、連結させやすく、簡単には抜けず、しかも、それほど大きな力を必要とせず、取り外せるといった機能を容易に実現できる。なお、コイルスプリングの内径全体を使用するときは１つずつのコイルは、ピンの外径の表面をそれぞれ包み、総合的な摩擦力が強くなり、ピンが勝手に抜け落ちる可能性がなくなる。さらに、ピンの固定力は、そのコイルスプリングの弾性力に帰因する摩擦力や係止力であるので、着脱作業を行う時、大きな力および特殊な工具を使わなくても簡単にできるようになり、時計にキズが付いたり、ピンが曲がったりすることが無くなる。
【００１３】
また、このような構造によって、その連結部の間に予め隙間をあけて置く必要が無くなり、デザイン上の制約がなくなると共に一体感が高まりデザイン上好ましいものとなる。また、中央の突出状部にコイルスプリングを挿入しているので、コイルスプリングが抜け出してしまうのを確実に防止することが可能となる。また、３つの貫通孔をピン径よりわずかに大きめの穴とすることで、連結部を薄くできるため、デザイン性の向上を図ることができる。
【００１４】
他の発明の時計用連結構造は、時計本体に接続されるバンドの連結構造であって少なくとも２つの連結体が連結される時計用連結構造において、連結体の一方に設けられた連結用の係合連結部と、この一方の連結体に対しその連結方向に隣接して配置される他方の連結体に係合連結部に対して横方向に隣接して設けられる連結用の被係合連結部とを備え、横方向に連通する係合孔を両連結部にそれぞれ設け、両連結部のいずれか一方を二股状の突出部とし、いずれか他方を二股状の突出部の間に入り込む突出状部とし、二股状の突出部と突出状部のそれぞれに係合孔を貫通孔として設け、突出状部の貫通孔内にその外径が二股状の突出部に設けられる貫通孔の孔径より大きくされたコイルスプリングを挿入し、３つの貫通孔内にまたがりかつコイルスプリングの内径部分によって係止されるように連結用ピンを配設している。
【００１５】
このような構造によって、連結体が連結される時、少ない部品点数のため、バンド全体が軽くなる。また、連結部の着脱作業が簡単にできるため、作業効率が向上すると共にバンドもきれいに仕上げることができる。さらに、コイルスプリングが使用されるため、加工工数が減少し、コスト低減を図ることが可能となる。また、コイルスプリングの内径部分を利用して連結用ピンを係止しているので、コイルスプリングの弾性力を有効に活用でき、連結させやすく、簡単には抜けず、しかも、それほど大きな力を必要とせず、取り外せるといった機能を容易に実現できる。
【００１６】
また、このような構造によって、その連結部の間に予め隙間をあけて置く必要が無くなり、デザイン上の制約がなくなると共に一体感が高まりデザイン上好ましいものとなる。また、中央の突出状部にコイルスプリングを挿入しているので、コイルスプリングが抜け出してしまうのを確実に防止することが可能となる。また、３つの貫通孔をピン径よりわずかに大きめの穴とすることで、連結部を薄くできるため、デザイン性の向上を図ることができる。
【００１７】
また、他の発明は、上述の各発明の時計用連結構造に加え、コイルスプリングの一部の内径を他の部分より小径の小径スプリング部とし、連結用ピンの一部の外径を他の部分より小径の小径外径部とし、小径スプリング部を小径外径部にはめ合わせ、連結用ピンを係止している。
【００１８】
このような構造によって、連結用ピンは、コイルスプリングの小径スプリング部を通過する際、この小径スプリング部が弾性変形し拡張するため、ピンを軽く押すことでコイルスプリングの内径中に挿入することができる。また、小径スプリング部の弾性により変形した部分は元に戻るため、連結用ピンの小径外径部に嵌め合わせられると、クリック感が感じられ、組み付けの確認が容易となると共に、小径スプリング部が係止作用を持つこととなり、ピンを確実に係止できることとなる。
【００１９】
コイルスプリングの小径スプリング部は、連結用ピンの小径外径部との嵌め合わせにより、連結用ピンを係止する。このような構造は、ピンを固定する力が一層強くなる。また、ピンを引き抜くとき、スプリングの弾性により、引き抜きが容易となると共にその引き抜き力のばらつきが生じにくくなる。また、特殊な工具を使用する必要がないため、コストが上昇したり連結部にキズが付いたしなくなる。
【００２０】
また、他の発明は、上述の各発明の時計用連結構造に加え、コイルスプリングの内径を連結用ピンの外径よりわずかに小さくし、両者の接触摩擦によって、連結用ピンを係止する。コイルスプリングの中央部に小径スプリング部を設けない場合、連結用のピンを挿入する時、コイルスプリングの内径をピンの外径よりわずか小さくするのが好ましい。このような構成とすると、コイルスプリングの内径より太いピンが挿入される際、コイルスプリングが拡張変形し、その弾性変形後元に戻る弾性力によって、ピンの表面に作用する摩擦力が大きくなる。従って、コイルスプリングとピンの外表面との摩擦力、即ち、連結用ピンの固定力は大きくなり、ピンの抜け落ちという不具合が無くなる。
【００２１】
また、本発明の時計は、連結用のケース連結部が設けられた時計用ケースを有する時計本体と、ケース連結部に隣接して配置されるバンド連結部を有するバンドとを備え、両連結部を側面方向に連通する係合孔を両連結部にそれぞれ設け、各係合孔に連結用ピンを連通させることで時計用ケースとバンドとを一体化する時計において、両連結部のいずれか一方を二股状の突出部とし、いずれか他方を二股状の突出部の間に入り込む突出状部とし、二股状の突出部と突出状部のそれぞれに係合孔を貫通孔として設け、突出状部の貫通孔内にその外径が二股状の突出部に設けられる貫通孔の孔径より大きくされたコイルスプリングを挿入し、３つの貫通孔内にまたがりかつコイルスプリングの内径部分によって係止されるように連結用ピンを配設している。
【００２２】
このような構造にすると、部品点数が少なくと共にいため、簡単に連結作業ができる。しかも、コイルスプリングは、簡単に加工でき、加工工数が減少し、コスト低減を図ることができる。また、コイルスプリングの内径部分を利用して連結用ピンを係止しているので、コイルスプリングの弾性力を有効に活用でき、連結させやすく、簡単には抜けず、しかも、それほど大きな力を必要とせず、取り外せるといった機能を容易に実現できる。なお、コイルスプリングの内径全体を使用するときは１つずつのコイルは、ピンの外径の表面をそれぞれ包み、総合的な摩擦力が強くなり、ピンが勝手に抜け落ちる可能性がなくなる。
【００２３】
さらに、ピンの固定力は、そのコイルスプリングの弾性力に帰因する摩擦力や係止力であるので、着脱作業を行う時、大きな力および特殊な工具を使わなくても簡単にできるようになり、時計にキズが付いたり、ピンが曲がったりすることが無くなる。このため、組み立て易くしかも修理し易い時計となると共に時計のコストを下げることができる。
【００２４】
また、この発明では、その連結部の間に予め隙間をあけておく必要が無くなり、デザイン上の制約がなく、デザイン性の良い時計が得られると共に一体感が高まりデザイン上好ましいものとなる。また、中央の突出状部にコイルスプリングを挿入しているので、コイルスプリングが抜け出してしまうのを確実に防止することが可能となる。また、３つの貫通孔をピンよりわずかに大きめの円の孔とすることで、加工が簡単になり、連結部自体を薄く軽くでき、デザイン性の面でさらによいものとなる。
【００２５】
また、他の発明は、上述の各発明の時計に加え、コイルスプリングの一部の内径を他の部分より小径の小径スプリング部とし、連結用ピンの一部の外径を他の部分より小径の小径外径部とし、小径スプリング部を小径外径部に嵌め合わせ、連結用ピンを係止している。
【００２６】
その連結用ピンがコイルスプリングの小径スプリング部を通過する際、小径スプリング部の拡張弾性により、ピンの装着作業をスムーズに行うことができる。また、コイルスプリングの小径スプリング部は、連結用ピンの小径外径部と嵌め合わせると、クリック感が感じられ、組み付けの確認が容易となる。また、その嵌め込みにより、ピンに対する係止力が強くなる一方、スプリングの弾性力によってピンの抜き取りも容易となる。このような構造を用いる時計は、部品が増加せず、組み立てし易く、修理し易いものとなると共に連結部の確実な固定が可能となり腕等から外れてしまうという事故が生じなくなる。
【００２７】
【発明の実施の形態】
以下、本発明の実施の形態について図面を参照しつつ説明する。
【００２８】
図１は、本発明の時計用連結構造および時計の第１の実施の形態を示す分解斜視図である。図示されているように、時計用ケース１には、ケース連結部となる突出状部２が設けられている。その突出状部２には１つの係合孔３が横方向に貫通するように設けられている。時計のバンド４に時計用ケース１と繋がるようにするバンド連結部４ａが設けられ、このバンド連結部４ａの先端に二股状の突出部５，５が設けられている。この二股状の突出部５，５は、それぞれ横方向に貫通した係合孔６，６を有している。３つの係合孔６，３，６は、突出状部２と二股状の突出部５，５とが係合したとき直線状に並び連結用ピン７がケース１とバンド４をまたがるように挿入可能とされている。
【００２９】
時計用ケース１の突出状部２の係合孔３の内径Ｄ３は、図２に示すように、バンド連結部４の係合孔６，６の内径Ｄ６より大きめに設けられ、予め円筒状のコイルスプリング８が入れられている。この円筒状のコイルスプリング８の外径Ｄ８（図３参照）は、コイルスプリング８を係合孔３にスムーズに挿入できるように、内径Ｄ３より小さめに設けられている。たとえば、係合孔３の内径Ｄ３が１．４０ｍｍの場合に、コイルスプリング８の外径Ｄ８は１．３７ｍｍとする。
【００３０】
また、この実施の形態では、図１および図２に示すように、ステンレス製の連結用ピン７の中央部に他の部分より小径の小径外径部９を設け、一方、コイルスプリング８の中央部にも小径スプリング部１０を設けている。
【００３１】
連結用ピン７には、図２に示すように、その両端にテーパーとなる斜面部７ａ，７ａが、その小径外径部９の両側に同形状のテーパーとなる斜面部７ｂ，７ｂがそれぞれ設けられている。両端の斜面部７ａ，７ａは、コイルスプリング８の小径スプリング部１０に挿入し易くし、かつ小径スプリング部１０を押し広げし易くするものである。小径外径部９の斜面部７ｂ，７ｂは、一旦係合した、コイルスプリング８の小径スプリング部１０がある程度の力（引き抜き力または押し力）でその係合が外れるように働く。
【００３２】
時計用ケース１とバンド４との連結作業を行う際、３つの突出状部５，２，５を長手方向に隣接させる。バンド連結部４ａの二股状の突出状部５，５の係合孔６，６を、予めコイルスプリング８を入れた係合孔３に合わせる。そして、連結用ピン７を一方の係合孔６から挿入し、コイルスプリング８の内径に差し入れ、さらに、他方の係合孔６に挿入させることで、図２に示す状態となり、ケース１とバンド４たが一体化する。
【００３３】
連結用ピン７を一方の係合孔６に挿入していくと、その先端が小径スプリング部１０に突き当たる。その突き当たり力に抗してさらに挿入させると、小径スプリング部１０が斜面部７ａで押し広げられさらに進入していく。そして、連結用ピン７が係合孔６，３，６に挿入された時、連結用ピン７の小径外径部９とコイルスプリング８の小径スプリング部１０とが嵌め込まれ、クッリク感を感じると連結作業は完成となる。
【００３４】
連結用ピン７を係合孔６およびコイルスプリング８に挿入するため、その係合孔６の内径Ｄ６とコイルスプリング８の内径ｄ８に対し、連結用ピン７の外径Ｄ７が一定の余裕を持つのが好ましい。本実施の形態では、連結用ピン７の外径Ｄ７を１．００ｍｍとし、コイルスプリング８の内径ｄ８を１．０５ｍｍとし、係合孔６の内径Ｄ６を１．１０ｍｍとしている。なお、コイルスプリング８の長さＬ８は、ケース連結部となる突出状部２の長さと同じくらいの長さに設定されている。
【００３５】
また、この実施の形態では、上述のように、バンド連結部４ａの係合孔６，６の内径Ｄ６が１．１０ｍｍとされ、コイルスプリング８の外径Ｄ８が１．３７ｍｍとされている。このため、係合孔６，６の内縁は、ちょうどコイルスプリング８の両端に当たって、コイルスプリング８の横方向への移動を阻止する。この結果、コイルスプリング８は、連結用ピン７を抜かない限り係合孔３から抜け落ちることない。
【００３６】
また、この実施の形態では、コイルスプリング８の小径スプリング部１０の内径Ｓは、０．９５ｍｍと設定されている。また、連結用ピン７の両端の先細の先端の径ｄ７は、内径Ｓに比べ、わずかに小さくされている。しかし、線径の中心間の距離Ｓ１より小さくすれば挿入作業はかなりやすいものとなる。
【００３７】
連結用ピン７をそのコイルスプリング８内に挿入して小径スプリング部１０を通す際、コイルスプリング８の弾性によって、小径スプリング部１０は拡張する。その小径スプリング部１０の弾性復帰力より、連結用ピン７の小径外径部９に嵌め込まれ、クリック感を感じると連結用ピン７が係止される。
【００３８】
このような係合方法で連結したケース１とバンド４は、部品点数が減少し、低コスト化と作業が向上する。また、コイルスプリング８の挿入脱着作業が１ｋｇ以下の安定した力で簡単に行えるようになり、作業能率が向上する。また、各係合孔６，３，６の加工が簡単にできると共に連結部５，２，５が薄くできるため、デザイン性の良い連結部が得られる。この様な連結構造を用いる時計は、連結用ピン７の小径外径部９をコイルスプリング８の小径スプリング部１０に嵌め込むことによって、使用途中で連結用ピン７が抜け落ちることがなくなり安全かつ低コストの時計が得られる。また、斜面部７ａによって、連結用ピン７の挿入が容易となり、斜面部７ｂ，７ｂによって、連結用ピン７の抜き取りが容易となる。
【００３９】
本実施の形態では、コイルスプリング８は弾性ステンレス材を使用している。小径スプリング部１０は、図４に示すように、円形となっている。その小径スプリング部１０の内径Ｓは、コイルスプリング８の大部分を占める内径ｄ８より０．１ｍｍ小さくし、両端に行くに従い徐々に径を大きくし、全長Ｌ８の１２分の１程度小径スプリング部１０から離れた所で内径ｄ８となる。
【００４０】
なお、小径スプリング部１０は、図５に示すように、楕円状小径スプリング部１０ａとなるようにしても良い。この楕円状の小径スプリング部１０ａの短手方向の内径Ｓは、コイルスプリング８の他の内径ｄ８より短く、長手方向の内径Ｓ２は、ｄ８より長くしている。このような構造の場合、連結用ピン７を挿入し小径スプリング部１０ａを通過させる時、短手方向の内径Ｓを伸して挿入し、連結用ピン７の小径外径部９にその短手方向部分が嵌め込まれ、連結用ピン７が係止される。
【００４１】
本発明の第２の実施の形態を、図６から図８に示す。なお、だい１の実施の形態と同一部材には同一符号を付して説明することとする。
【００４２】
この第２の実施の形態では、中央部縮径がない円柱状の連結用ピン１２および小径部なしの円筒状のコイルスプリング１１を使用する。時計用ケース１とバンド４との連結作業を行う時、第１の実施の形態と同じように、コイルスプリング１１を予め係合孔３に入れておき、そして、バンド４の連結部４ａの二股状の突出部５，５の係合孔６，６を、時計用ケース１の突出状部２に設けられた係合孔３に合わせて、連結用ピン１２を挿入する。
【００４３】
本実施の形態では、各係合孔３，６，６の内径Ｄ３を１．４０ｍｍとし、内径Ｄ６を１．１０ｍｍとし、そのコイルスプリング１１の外径Ｄ１１を１．３０ｍｍとし、内径ｄ１１を０．９８〜０．９９ｍｍとしている。このように、コイルスプリング１１が係合孔６，６の内方の両縁部に挟まれて係合孔３内に配置されている。連結用ピン１２の外径Ｄ１２はコイルスプリング１１の内径ｄ１１より０．０１〜０．０２ｍｍ位大きく、１．００ｍｍとする。
【００４４】
このような設定によって、連結用ピン１２をコイルスプリング１１の内径部分に挿入する際、コイルスプリング１１は弾性により拡張変形する。この拡張変形後、元に戻る弾力により、連結用ピン１２の表面に締め付け力が作用する。従って、コイルスプリング１１と連結用ピン１２との間に摩擦力が発生し、連結用ピン１２が固定される。これによって、連結用ピン１２の抜け落ちという不良が無くなる。
【００４５】
また、連結部２，４ａの着脱作業時、連結用ピン１２の抜き取り挿入作業がやはり１ｋｇ以下の安定した力で行えると共に特殊な工具や強い力も必要なく、挿入や抜き取りが簡単に行える。しかも、時計用ケース１やバンド４の表面にキズが付かないようにして作業を行うことができる。
【００４６】
上述の２つの実施の形態は、本発明の好適な実施の形態の例であるが、これらに限ることはなく、本発明の要旨を逸脱しない範囲で種々変形実施可能である。たとえば、図９に示したように、時計のバンド部の連結構造であって、複数の連結体２０，２０’の間に使用しても良い。この複数の連結体２０，２０’は、連結方向に次々隣接して配置すると、バンドとなる。
【００４７】
連結体２０は、長手方向の一方を被係合連結部となる二股状の突出部２２，２２とし、他方を係合連結部となる突出状部２１とする。連結体２０’は、連結体２０と同様に二股状の突出部２２’，２２’および突出状部２１’をそれぞれ両端に有している。上述した２つの実施の形態と同じように、予めコイルスプリング２５を突出状部２１，２１’の係合孔２３，２３’に入れておく。そして、その突出状部２１が二股状の突出部２２’，２２’の間に入り込んで、連結用ピン２６を両連結体２０，２０’の係合孔２４’，２３，２４’に横方向に挿入する。
【００４８】
このバンド４に使用されるコイルスプリング２５と連結用ピン２６は、先に示した第２の実施の形態のコイルスプリング１１と連結用ピン１２とそれぞれ同様の形状となっているが、第１の実施の形態のコイルスプリング８と連結用ピン７の組み合わせとしても良い。
【００４９】
このような連結構造を時計のバンド４の連結部分に用いると、装着作業およびピン抜き作業が容易となり、作業効率が向上すると共に部品点数が減少し低価格化させることができる。また、着脱し易いため、作業途中でバンド４にキズが付くのを避けることができ、時計のバンドの長さの調整が従来に比べ容易となる。
【００５０】
また、図１０に示すように、中央部に小径スプリング部１０を有するコイルスプリング８に対して、中央部に小径無しの連結用ピン１２を組み合わせて使用しても良い。コイルスプリング８の小径スプリング部１０の内径は、連結用ピン１２の外径より０．０１〜０．０３ｍｍ位小さくされている。このため、連結用ピン１２をこの小径スプリング部１０に挿入すると、小径スプリング部１０が拡張される。この小径スプリング部１０の弾性復帰力によって、小径スプリング部１０は、連結用ピン１２を締め付け、連結用ピン１２に対して摩擦力を発揮する。そのため、連結用ピン１２はコイルスプリング８の係止され、連結用ピン１２の抜け落ちという不具合は生じない。
【００５１】
また、図１１に示すように、連結用ピン７，１２，２６は自体の外径より細い内径を有するコイルスプリング８，１１，２５に挿入しやすくするため、その連結用ピン７，１２，２６の両端にそれぞれ斜面部７ａ，７ａ，１４，１４を設けるのが好ましい。しかし、斜面部７ａ，７ａ，１４，１４を設けず垂直状態としたり、斜面部をさらに長くしても良い。
【００５２】
また、小径外径部９を有するピン７において、図１１（Ａ）に示すように、小径外径部９の外径と繋がる同一形状の斜面部７ｂ，７ｂの代わりに、傾斜角度が異なる緩斜面部７ｃと急斜面部７ｄを設置しても良い。このように構成すると、連結用ピン７は、小径スプリング部１０を有するコイルスプリング８に嵌め込む時、スムーズにでき、一方、連結用ピン７を抜け取る作業を行う時、緩斜面部７ｃ部分を使うことで、大きな力または特殊な工具を使わなくても簡単に取り外すことができることとなる。
【００５３】
また、上述した各実施の形態では、小径外径部９を持つ連結用ピン７およびコイルスプリング８の小径スプリング部１０は、１カ所としているが、それぞれ２カ所や３カ所等複数箇所としても良い。コイルスプリング８，１１，２５の材料としては、ステンレス以外にゴムや樹脂類の水に強い弾性材料を使っても良い。また、連結用ピン７，１２，２６もステンレス以外にセラミック、エンジニアリングプラスチック等強度を有する他の部材としても良い。
【００５４】
コイルスプリング８，１１，２５が置かれる場所は、突出状部の係合孔に入れずに、二股状の突出部の係合孔に１つづつ入れたり、全ての係合孔に入れるようにしても良い。そのコイルスプリング８，１１，２５や連結用ピン７，１２，２６の長さや太さは、部品及び作業能率によって、長くしたり短くしたり、太くしたり、細くしたりしても良い。さらに、両連結部は、突出状部２が二股状の突出部５，５の間に差し込むように連結するだけではなく、ケース１側に二股状の突出部を設け、バンド４側に１つの突出状部を設けるようにしても良い。さらには、１つの突出状部と１つの突出状部の連結、二股状の突出状部と二股状の突出状部の連結、二股状の突出状部と三股状の突出状部の連結等としても良い。
【００５５】
また、各係合孔３，６，２３，２３’，２４，２４’は、全て貫通孔としているが、一方向からのみ連結用ピンが挿入できるように、他端側の孔を塞ぐようにしても良い。さらに、実施の形態では、腕時計のケース本体とバンドとの連結、バンドの各連結体の連結について系しているが、腕時計以外に、ネックレス等の装飾品、鎖等の実用品等にも本発明を適用することができる。
【００５６】
【発明の効果】
以上詳述したように、本発明の時計用連結構造によれば、コイルスプリングで連結用ピンを係止するため、連結部品が少なくなり、組み立て易くなり、着脱作業が簡単となり、時計の使用途中で連結用ピンが抜けてしまう不具合もなくなる。さらに、作業中に連結用ピンが曲がってしまう不具合もなくなる。また、連結部分の各部品の加工が簡単にできしかも小型化も容易であるため、連結部に対する各種の制約がなくなり、連結部のデザインが自由になり、デザインを向上させることができる。
【００５７】
また、本発明の時計によれば、上述した連結構造を用いるため、上述の効果を有するのに加え、時計の製造工数および部品の加工工数が少なくなり、製造効率が上がると共に低コストの時計が得られる。また、連結部に対する各種のデザイン的制約が無くなるため、デザイン的に向上したより自由で美しい時計が得られるようになる。強い力での作業が不要となるため、時計本体やケース、バンド部等を傷受けたりする危険性が大幅に減少する。さらに、連結部分の部品点数が少なくなり、小型化も可能となるため、時計自体を軽くすることが可能となると共に手触り性も向上させることができる。
【００５８】
さらに、この連結構造を用いた時計のバンド部は、連結部分の着脱が容易となるため、バンドの長さの調整が簡単となると共に修理等の作業が手早くできるようになる。また、バンドの形状も各種のものとできると共に小型軽量なバンドとすることができる。
【図面の簡単な説明】
【図１】本発明の第１の実施の形態の時計用連結構造および時計の分解斜視図である。
【図２】図１の時計用連結構造のピンを挿入した状態を示す部分断面拡大図である。
【図３】図１の時計用連結構造に使用されるコイルスプリングの構造を示す縦断面図である。
【図４】図３のコイルスプリングのＡ−Ａ線で切った時の小径スプリング部とその周辺を示す横断面図である。
【図５】図１の時計用連結構造に使用されるコイルスプリングの他の小径スプリング部の例を示す図で、楕円状の小径スプリング部を有する例を示す図である。
【図６】本発明の第２の実施の形態の時計用連結構造の分解斜視図である。
【図７】図６の時計用連結構造のピンを挿入した構造を示す部分断面図拡大図である。
【図８】図６の時計用連結構造に使用されるコイルスプリングの構造を示す図である。
【図９】本発明の時計用連結構造を時計のバンドの連結体の連結に使用された例を示す部分分解斜視図である。
【図１０】本発明の他の変形例で、時計のケースとバンドとの連結構造の他の例を示す図である。
【図１１】本発明の時計用連結構造や時計に使用される連結用ピンの構造を示す図であり、（Ａ）は小径外径部を有する連結用ピンの他の例を示す図であり、（Ｂ）は小径部無しの連結用ピンを示す図である。
【図１２】従来の時計用連結構造の１例を示す分解斜視図である。
【図１３】図１２の従来の時計用連結構造において、連結用ピンを挿入した状態の部分断面拡大図である。
【図１４】従来の時計用連結構造の他の例を示す分解斜視図である。
【符号の説明】
１    時計用ケース
２    突出状部（ケース連結部）
３    突出状部の係合孔
４    バンド
４ａ  バンド連結部
５    二股状の突出部
６    二股状の突出部の係合孔
７    連結用ピン
８    コイルスプリング
９    小径外径部
１０  小径スプリング部
１１  コイルスプリング
１２  連結用ピン
２０，２０’    時計のバンド部の連結体
２１，２１’    突出状部（係合連結部）
２２，２２’    二股状の突出部（被係合連結部）
２３，２３’    突出状部の係合孔
２４，２４’    二股状の突出部の係合孔
２５  コイルスプリング
２６  連結用ピン
【図１】
0003559794.tif 000002
【図２】
0003559794.tif 000003
【図３】
0003559794.tif 000004
【図４】
0003559794.tif 000005
【図５】
0003559794.tif 000006
【図６】
0003559794.tif 000007
【図７】
0003559794.tif 000008
【図８】
0003559794.tif 000009
【図９】
0003559794.tif 000010
【図１０】
0003559794.tif 000011
【図１１】
0003559794.tif 000012
【図１２】
0003559794.tif 000013
【図１３】
0003559794.tif 000014
【図１４】
0003559794.tif 000015